(57)【特許請求の範囲】
【請求項１】
商用電源（3）に接続されて直流を出力する整流器（81）と、該整流器（81）に接続されて圧縮機へ交流を供給するインバータ（82）とを備えた冷凍装置の電源部（80）に接続される冷凍装置用の電源制御装置であって、
自然エネルギーを用いて発電する発電装置（5）から直流が入力される入力部（91）と、
上記冷凍装置（7）の電源部（80）における上記整流器（81）と上記インバータ（82）との間に接続される接続部（100）と、
上記冷凍装置（7）の圧縮機を駆動するのに必要な上記整流器（81）の出力電圧の最小値よりも低電圧で作動する負荷（6）に直流を出力する出力部（94）と、
上記整流器（81）の出力電圧よりも上記発電装置（5）の出力電圧が高い場合には、上記入力部（91）から上記出力部（94）と上記接続部（100）の両方に直流を流し、上記整流器（81）の出力電圧よりも上記発電装置（5）の出力電圧が低い場合には、上記入力部（91）から上記出力部（94）に直流を流すスイッチ部（104）とを備える一方、
上記冷凍装置（7）は、商用電源（3）に接続されて直流を出力する第１整流器（81）に接続される第１インバータ（82）と繋がる第１圧縮機（11A）と熱源側熱交換器（15）とが設けられた熱源側回路（25）と、室内を冷却するための空調用熱交換器（21）が設けられた空調冷媒回路（26）と、商用電源（3）に接続されて直流を出力する第２整流器（86）に接続される第２インバータ（87）と繋がると共に低段側に設けられる第２圧縮機（43）と庫内を冷却するための冷却熱交換器（41）が設けられた冷却回路（28,29）とが接続され、冷媒が可逆に循環して冷凍サイクルが行われる冷媒回路（14）を備え、
上記接続部（100）は、上記第１整流器（81）と上記第１インバータ（82）との間に接続される第１接続部（100a）と、上記第２整流器（86）と上記第２インバータ（87）との間に接続される第２接続部（100b）とを備えると共に、
上記スイッチ部（104）は、
上記空調用熱交換器（21）が蒸発器として動作する場合において、上記第１整流器（81）の出力電圧よりも上記発電装置（5）の出力電圧が高い場合には、上記入力部（91）から上記出力部（94）と上記第１接続部（100a）の両方に直流を流す一方、上記第１整流器（81）の出力電圧よりも上記発電装置（5）の出力電圧が低い場合には、上記入力部（91）から上記出力部（94）に直流を流す第１スイッチ部（104a）と、
上記空調用熱交換器（21）が放熱器として動作する場合において、上記第２整流器（86）の出力電圧よりも上記発電装置（5）の出力電圧が高い場合には、上記入力部（91）から上記出力部（94）と上記第２接続部（100b）の両方に直流を流す一方、上記第２整流器（86）の出力電圧よりも上記発電装置（5）の出力電圧が低い場合には、上記入力部（91）から上記出力部（94）に直流を流す第２スイッチ部（104b）とを備えている
ことを特徴とする冷凍装置用の電源制御装置。
【請求項２】
商用電源（3）に接続されて直流を出力する整流器（81）と、該整流器（81）に接続されて圧縮機へ交流を供給するインバータ（82）とを備えた冷凍装置の電源部（80）に接続される冷凍装置用の電源制御装置であって、
自然エネルギーを用いて発電する発電装置（5）から直流が入力される入力部（91）と、
上記冷凍装置（7）の電源部（80）における上記整流器（81）と上記インバータ（82）との間に接続される接続部（100）と、
上記冷凍装置（7）の圧縮機を駆動するのに必要な上記整流器（81）の出力電圧の最小値よりも低電圧で作動する負荷（6）に直流を出力する出力部（94）と、
上記整流器（81）の出力電圧よりも上記発電装置（5）の出力電圧が高い場合には、上記入力部（91）から上記出力部（94）と上記接続部（100）の両方に直流を流し、上記整流器（81）の出力電圧よりも上記発電装置（5）の出力電圧が低い場合には、上記入力部（91）から上記出力部（94）に直流を流すスイッチ部（104）とを備える一方、
上記冷凍装置（7）は、商用電源（3）に接続されて直流を出力する第１整流器（81）に接続される第１インバータ（82）と繋がる第１圧縮機（11A）と熱源側熱交換器（15）とが設けられた熱源側回路（25）と、室内を冷却するための空調用熱交換器（21）が設けられた空調冷媒回路（26）と、商用電源（3）に接続されて直流を出力する第２整流器（86）に接続される第２インバータ（87）と繋がると共に低段側に設けられる第２圧縮機（43）と庫内を冷却するための冷却熱交換器（41）が設けられた冷却回路（28,29）とが接続され、冷媒が可逆に循環して冷凍サイクルが行われる冷媒回路（14）を備え、
上記接続部（100）は、上記第１整流器（81）と上記第１インバータ（82）との間に接続される第１接続部（100a）と、上記第２整流器（86）と上記第２インバータ（87）との間に接続される第２接続部（100b）とを備えると共に、
上記スイッチ部（104）は、
上記第１整流器（81）の出力電圧よりも上記第２整流器（86）の出力電圧が高い場合において、上記第１整流器（81）の出力電圧よりも上記発電装置（5）の出力電圧が高い場合には、上記入力部（91）から上記出力部（94）と上記第１接続部（100a）の両方に直流を流す一方、上記第１整流器（81）の出力電圧よりも上記発電装置（5）の出力電圧が低い場合には、上記入力部（91）から上記出力部（94）に直流を流す第１スイッチ部（104a）と、
上記第１整流器（81）の出力電圧よりも上記第２整流器（86）の出力電圧が低い場合において、上記第２整流器（86）の出力電圧よりも上記発電装置（5）の出力電圧が高い場合には、上記入力部（91）から上記出力部（94）と上記第２接続部（100b）の両方に直流を流す一方、上記第２整流器（86）の出力電圧よりも上記発電装置（5）の出力電圧が低い場合には、上記入力部（91）から上記出力部（94）に直流を流す第２スイッチ部（104b）とを備えている
ことを特徴とする冷凍装置用の電源制御装置。
【請求項３】
請求項１又は２において、
上記スイッチ部（104）は、上記発電装置（5）の出力電圧よりも上記整流器（81）の出力電圧が高く、且つ上記発電装置（5）の出力電圧が所定の電圧よりも低い場合には、上記整流器（81）の直流を上記接続部（100）から上記出力部（94）へ流すよう構成されている
ことを特徴とする冷凍装置用の電源制御装置。
【請求項４】
請求項１〜３の何れか１つにおいて、
上記入力部（91）に入力された発電装置（5）の発電電力を蓄電する蓄電装置（109）を備えている
ことを特徴とする冷凍装置用の電源制御装置。
【請求項５】
請求項１〜４の何れか１つにおいて、
上記入力部（91）から出力部（94）へ流れる直流の電圧を調節する電圧変換部（93）を備えている
ことを特徴とする冷凍装置用の電源制御装置。
【請求項６】
請求項１〜５の何れか１つにおいて、
上記入力部（91）に入力された発電装置（5）の直流を交流に変換するパワーコンディショナ（110）を備えている
ことを特徴とする冷凍装置用の電源制御装置。
【請求項７】
冷凍装置（7）と、請求項１〜６の何れか１つの電源制御装置（90）とを備えていることを特徴とする冷凍システム。
【発明の詳細な説明】
【技術分野】
【０００１】
本発明は、冷凍装置用の電源制御装置、および冷凍システムに関するものである。
【背景技術】
【０００２】
従来より、太陽光などの自然エネルギーが電源として用いられた空気調和装置が知られている。特許文献１に示す空気調和装置では、ソーラーパネルで吸収した太陽光によって発電した電力を空気調和装置の電源として用いている。
【先行技術文献】
【特許文献】
【０００３】
【特許文献１】特開平６−７４５２２号公報
【発明の概要】
【発明が解決しようとする課題】
【０００４】
ところで、自然エネルギーを用いた発電装置（例えば太陽光発電装置）は、天候などによって発電電力が不安定となってしまう。このため、上記空気調和装置では、太陽電池の出力が不足し、電圧が低下した場合には、商用電源から電力供給されるように構成されている。つまり、太陽電池の発電電力が小さい場合に、該発電電力を有効に活用することができないという問題があった。
【０００５】
本発明は、斯かる点に鑑みてなされたものであり、太陽光パネルの発電電力が小さい場合であっても、該発電電力を有効活用することを目的とする。
【課題を解決するための手段】
【０００６】
第１及び第２の各発明は、商用電源（3）に接続されて直流を出力する整流器（81）と、該整流器（81）に接続されて圧縮機へ交流を供給するインバータ（82）とを備えた冷凍装置の電源部（80）に接続される冷凍装置用の電源制御装置であって、自然エネルギーを用いて発電する発電装置（5）から直流が入力される入力部（91）と、上記冷凍装置（7）の電源部（80）における上記整流器（81）と上記インバータ（82）との間に接続される接続部（100）と、上記冷凍装置（7）の圧縮機を駆動するのに必要な上記整流器（81）の出力電圧の最小値よりも低電圧で作動する負荷（6）に直流を出力する出力部（94）と、上記整流器（81）の出力電圧よりも上記発電装置（5）の出力電圧が高い場合には、上記入力部（91）から上記出力部（94）と上記接続部（100）の両方に直流を流す一方、上記整流器（81）の出力電圧よりも上記発電装置（5）の出力電圧が低い場合には、上記入力部（91）から上記出力部（94）に直流を流すスイッチ部（104）とを備えている。
【０００７】
上記第１及び第２の各発明に係る電源制御装置は、入力部（91）と接続部（100）と出力部（94）とスイッチ部（104）を備え、冷凍装置の電源部（80）に接続されている。この電源部（80）は、商用電源（3）に接続されて直流を出力する整流器（81）と、該整流器（81）に接続されて圧縮機へ交流を供給するインバータ（82）とを備えている。
【０００８】
第１及び第２の各発明では、入力部（91）には、例えば太陽光などの自然エネルギーを用いて発電する発電装置（5）から直流が入力される。出力部（94）は、冷凍装置（7）の圧縮機を駆動するのに必要な整流器（81）の出力電圧の最小値よりも低電圧で作動する負荷（6）に直流を出力する。接続部（100）は、冷凍装置（7）の電源部（80）における整流器（81）とインバータ（82）との間に接続される。そして、スイッチ部（104）では、発電装置（5）の出力電圧と整流器（81）の出力電圧とを比較し、整流器（81）の出力電圧よりも発電装置（5）の出力電圧が高い場合には、発電装置（5）から入力部（91）に入力された直流を出力部（94）と接続部（100）の両方へ流す。すなわち、発電装置（5）から入力部（91）に入力された直流は、出力部（94）から負荷（6）に流れる一方、接続部（100）から電源部（80）のインバータ（82）へ流れる。
【０００９】
また、スイッチ部（104）では、発電装置（5）の出力電圧と整流器（81）の出力電圧とを比較し、整流器（81）の出力電圧よりも発電装置（5）の出力電圧が低い場合には、発電装置（5）から入力部（91）に入力された直流を出力部（94）にだけ流す。すなわち、発電装置（5）から入力部（91）に入力された直流は、出力部（94）から負荷（6）だけに流れる。
【００１０】
第１の発明は、上記の構成に加えて、上記冷凍装置（7）は、商用電源（3）に接続されて直流を出力する第１整流器（81）に接続される第１インバータ（82）と繋がる第１圧縮機（11A）と熱源側熱交換器（15）とが設けられた熱源側回路（25）と、室内を冷却するための空調用熱交換器（21）が設けられた空調冷媒回路（26）と、商用電源（3）に接続されて直流を出力する第２整流器（86）に接続される第２インバータ（87）と繋がると共に低段側に設けられる第２圧縮機（43）と庫内を冷却するための冷却熱交換器（41）が設けられた冷却回路（28,29）とが接続され、冷媒が可逆に循環して冷凍サイクルが行われる冷媒回路（14）を備え、上記接続部（100）は、上記第１整流器（81）と上記第１インバータ（82）との間に接続される第１接続部（100a）と、上記第２整流器（86）と上記第２インバータ（87）との間に接続される第２接続部（100b）とを備えると共に、上記スイッチ部（104）は、上記空調用熱交換器（21）が蒸発器として動作する場合において、上記第１整流器（81）の出力電圧よりも上記発電装置（5）の出力電圧が高い場合には、上記入力部（91）から上記出力部（94）と上記第１接続部（100a）の両方に直流を流す一方、上記第１整流器（81）の出力電圧よりも上記発電装置（5）の出力電圧が低い場合には、上記入力部（91）から上記出力部（94）に直流を流す第１スイッチ部（104a）と、上記空調用熱交換器（21）が放熱器として動作する場合において、上記第２整流器（86）の出力電圧よりも上記発電装置（5）の出力電圧が高い場合には、上記入力部（91）から上記出力部（94）と上記第２接続部（100b）の両方に直流を流す一方、上記第２整流器（86）の出力電圧よりも上記発電装置（5）の出力電圧が低い場合には、上記入力部（91）から上記出力部（94）に直流を流す第２スイッチ部（104b）とを備えている。
【００１１】
上記第１の発明では、熱源側回路（25）と、空調冷媒回路（26）と、冷却回路（28,29）とが接続されて冷媒回路（14）において冷媒が可逆に循環する冷凍サイクルが行われる。熱源側回路（25）には、第１圧縮機（11A）と、熱源側熱交換器（15）とが設けられている。第１圧縮機（11A）には、商用電源（3）に接続されて直流を出力する第１整流器（81）に接続される第１インバータ（82）が繋がれている。空調冷媒回路（26）には、室内を冷却するための空調用熱交換器（21）が設けられている。冷却回路（28,29）には、第２圧縮機（43）と冷却熱交換器（41）とが設けられている。第２圧縮機（43）には、商用電源（3）に接続されて直流を出力する第２整流器（86）に接続される第２インバータ（87）が繋がれている。
【００１２】
接続部（100）は、第１整流器（81）と第１インバータ（82）との間に接続される第１接続部（100a）と、第２整流器（86）と第２インバータ（87）との間に接続される第２接続部（100b）とを備えている。
【００１３】
第１スイッチ部（104a）では、空調用熱交換器（21）が蒸発器として動作する場合において、発電装置（5）の出力電圧と第１整流器（81）の出力電圧とを比較し、発電装置（5）の出力電圧よりも第１整流器（81）の出力電圧が低い場合、発電装置（5）の直流を入力部（91）から出力部（94）と第１接続部（100a）の両方へ流す。こうすることで、発電装置（5）の直流が負荷（6）と、第１インバータ（82）の両方に供給される。一方、発電装置（5）の出力電圧よりも第１整流器（81）の出力電圧が高い場合、発電装置（5）の直流を入力部（91）から出力部（94）にだけ流す。こうすることで、発電装置（5）の直流が負荷（6）のみに供給される。
【００１４】
一方、第２スイッチ部（104b）では、空調用熱交換器（21）が放熱器（凝縮器）として動作する場合において、発電装置（5）の出力電圧よりも第２整流器（86）の出力電圧が低い場合、発電装置（5）の直流を入力部（91）から出力部（94）と第２接続部（100b）の両方へ流す。こうすることで、発電装置（5）の直流が負荷（6）と、第２インバータ（87）の両方に供給される。一方、発電装置（5）の出力電圧よりも第２整流器（86）の出力電圧が高い場合、発電装置（5）の直流を入力部（91）から出力部（94）にだけ流す。こうすることで、発電装置（5）の直流が負荷（6）のみに供給される。
【００１５】
第２の発明は、上記の構成に加えて、上記冷凍装置（7）は、商用電源（3）に接続されて直流を出力する第１整流器（81）に接続される第１インバータ（82）と繋がる第１圧縮機（11A）と熱源側熱交換器（15）とが設けられた熱源側回路（25）と、室内を冷却するための空調用熱交換器（21）が設けられた空調冷媒回路（26）と、商用電源（3）に接続されて直流を出力する第２整流器（86）に接続される第２インバータ（87）と繋がると共に低段側に設けられる第２圧縮機（43）と庫内を冷却するための冷却熱交換器（41）が設けられた冷却回路（28,29）とが接続され、冷媒が可逆に循環して冷凍サイクルが行われる冷媒回路（14）を備え、上記接続部（100）は、上記第１整流器（81）と上記第１インバータ（82）との間に接続される第１接続部（100a）と、上記第２整流器（86）と上記第２インバータ（87）との間に接続される第２接続部（100b）とを備えると共に、上記スイッチ部（104）は、上記第１整流器（81）の出力電圧よりも上記第２整流器（86）の出力電圧が高い場合において、上記第１整流器（81）の出力電圧よりも上記発電装置（5）の出力電圧が高い場合には、上記入力部（91）から上記出力部（94）と上記第１接続部（100a）の両方に直流を流す一方、上記第１整流器（81）の出力電圧よりも上記発電装置（5）の出力電圧が低い場合には、上記入力部（91）から上記出力部（94）に直流を流す第１スイッチ部（104a）と、上記第１整流器（81）の出力電圧よりも上記第２整流器（86）の出力電圧が低い場合において、上記第２整流器（86）の出力電圧よりも上記発電装置（5）の出力電圧が高い場合には、上記入力部（91）から上記出力部（94）と上記第２接続部（100b）の両方に直流を流す一方、上記第２整流器（86）の出力電圧よりも上記発電装置（5）の出力電圧が低い場合には、上記入力部（91）から上記出力部（94）に直流を流す第２スイッチ部（104b）とを備えている。
【００１６】
上記第２の発明では、熱源側回路（25）と、空調冷媒回路（26）と、冷却回路（28,29）とが接続されて冷媒が可逆に循環して冷凍サイクルが行われる冷媒回路（14）を備えている。熱源側回路（25）には、第１圧縮機（11A）と、熱源側熱交換器（15）とが設けられている。第１圧縮機（11A）には、商用電源（3）に接続されて直流を出力する第１整流器（81）に接続される第１インバータ（82）が繋がれている。空調冷媒回路（26）には、室内を冷却するための空調用熱交換器（21）が設けられている。冷却回路（28,29）には、第２圧縮機（43）と冷却熱交換器（41）とが設けられている。第２圧縮機（43）には、商用電源（3）に接続されて直流を出力する第２整流器（86）に接続される第２インバータ（87）が繋がれている。
【００１７】
接続部（100）は、第１整流器（81）と第１インバータ（82）との間に接続される第１接続部（100a）と、第２整流器（86）と第２インバータ（87）との間に接続される第２接続部（100b）とを備えている。
【００１８】
第１スイッチ部（104a）では、第１整流器（81）の出力電圧よりも第２整流器（86）の出力電圧が高い場合において、発電装置（5）の出力電圧と第１整流器（81）の出力電圧とを比較し、発電装置（5）の出力電圧よりも第１整流器（81）の出力電圧が低い場合、発電装置（5）の直流を入力部（91）から出力部（94）と第１接続部（100a）の両方へ流す。こうすることで、発電装置（5）の直流が負荷（6）と、第１インバータ（82）の両方に供給される。一方、発電装置（5）の出力電圧よりも第１整流器（81）の出力電圧が高い場合、発電装置（5）の直流を入力部（91）から出力部（94）にだけ流す。こうすることで、発電装置（5）の直流が負荷（6）のみに供給される。
【００１９】
一方、第２スイッチ部（104b）では、第１整流器（81）の出力電圧よりも第２整流器（86）の出力電圧が低い場合において、発電装置（5）の出力電圧よりも第２整流器（86）の出力電圧が低い場合、発電装置（5）の直流を入力部（91）から出力部（94）と第２接続部（100b）の両方へ流す。こうすることで、発電装置（5）の直流が負荷（6）と、第２インバータ（87）の両方に供給される。一方、発電装置（5）の出力電圧よりも第２整流器（86）の出力電圧が高い場合、発電装置（5）の直流を入力部（91）から出力部（94）にだけ流す。こうすることで、発電装置（5）の直流が負荷（6）のみに供給される。
【００２０】
第３の発明は、上記第１又は第２の発明において、上記スイッチ部（104）は、上記発電装置（5）の出力電圧よりも上記整流器（81）の出力電圧が高く、且つ上記発電装置（5）の出力電圧が所定の電圧よりも低い場合には、上記整流器（81）の直流を上記接続部（100）から上記出力部（94）へ流すよう構成されている。
【００２１】
上記第３の発明では、スイッチ部（104）は、発電装置（5）の出力電圧よりも整流器（81）の出力電圧が高く、且つ発電装置（5）の出力電圧が所定の電圧よりも低い場合には、整流器（81）の直流を接続部（100）から出力部（94）へ流すようにしている。すなわち、この場合、発電装置（5）の出力電圧が低く、出力が不足していると判断し、商用電源（3）から負荷（6）へ電力供給を行うようにしている。
【００２２】
第４の発明は、上記第１〜第３の発明の何れか１つにおいて、上記入力部（91）に入力された上記発電装置（5）の発電電力を蓄電する蓄電装置（109）を備えている。
【００２３】
上記第４の発明では、発電装置（5）から入力部（91）に入力された発電電力を蓄電装置（109）に蓄電するようにしている。こうすることで、発電電力の供給先がない場合であっても、蓄電装置（109）の発電電力を捨てることなく、活用することができる。
【００２４】
第５の発明は、上記第１〜第４の発明の何れか１つにおいて、上記入力部（91）から出力部（94）へ流れる直流の電圧を調節する電圧変換部（93）を備えている。
【００２５】
上記第５の発明では、電圧変換部（93）が入力部（91）から出力部（94）へ流れる直流の電圧を調節している。具体的には、電圧変換部（93）は、入力部（91）から入力された発電装置（5）の直流の電圧を昇降圧するなどして、負荷（6）の作動電圧に応じた電圧に変換している。
【００２６】
第６の発明は、上記第１〜第５の発明の何れか１つにおいて、上記入力部（91）に入力された発電装置（5）の直流を交流に変換するパワーコンディショナ（110）を備えている。
【００２７】
上記第６の発明では、パワーコンディショナ（110）が入力部（91）に入力された発電装置（5）の直流を交流に変換している。こうすることで、パワーコンディショナ（110）で変換された交流を屋内配線などに供給して冷凍装置（7）やその他の接続機器などに供給することができる。
【００２８】
第７の発明は、冷凍装置（7）と、第１〜第６の発明の何れか１つの電源制御装置（90）とを備えている。
【００２９】
上記第７の発明に係る冷凍システムでは、冷凍装置（7）と第１〜第６の発明に係る電源制御装置（90）とを備えている。
【発明の効果】
【００３０】
上記第１及び第２の各発明によれば、発電装置（5）の出力電圧が整流器（81）の出力電圧よりも高い場合に発電装置（5）の直流を負荷（6）とインバータ（82）に供給するようにしたため、発電電力によってインバータ（82）および負荷（6）を作動させることができる。これにより、商用電源（3）から入力される電力を節約することができる。
【００３１】
一方、発電装置（5）の出力電圧が整流器（81）の出力電圧よりも低い場合に発電装置（5）の直流を負荷（6）に供給するようにしたため、発電電力によって負荷（6）だけを作動させることができる。つまり、発電装置（5）の発電量が少ない場合、整流器（81）の出力電圧の最小値よりも低電圧で作動する負荷（6）だけを作動させることで、該発電電力を捨てることなく、有効に利用することができる。
【００３２】
上記第１の発明では、空調用熱交換器（21）が行う蒸発動作と放熱（凝縮）動作に応じて、発電装置（5）の直流の供給先を切り換えるようにスイッチ部（104）を構成した。
【００３３】
ここで、空調用熱交換器（21）が蒸発動作を行う際は、主に夏場の冷房なので、熱源側回路（25）の負荷が大きくなる。このため、発電装置（5）の発電電力を熱源側回路（25）の第１圧縮機（11A）に繋がる第１インバータ（82）に供給するようにしている。一方で、発電装置（5）の出力電圧が第１整流器（81）の出力電圧よりも低い場合には、発電装置（5）の直流を負荷（6）だけに供給するようにしたため、発電電力によって負荷（6）だけを作動させることができる。つまり、発電装置（5）の発電量が十分に多い場合は、負荷の大きい熱源側回路（25）に対して電力供給を行う一方、発電装置（5）の発電量が少ない場合、第１整流器（81）の出力電圧の最小値よりも低電圧で作動する負荷（6）だけを作動させることで、該発電電力を捨てることなく、有効に利用することができる。
【００３４】
また、空調用熱交換器（21）が放熱（凝縮）動作を行う際は、主に冬場の暖房なので、冷却回路（28,29）の負荷が大きくなる。このため、発電装置（5）の発電電力を冷却回路（28,29）の第２圧縮機（43）に繋がる第２インバータ（87）に供給するようにしている。一方で、発電装置（5）の出力電圧が第２整流器（86）の出力電圧よりも低い場合には、発電装置（5）の直流を負荷（6）だけに供給するようにしたため、発電電力によって負荷（6）だけを作動させることができる。つまり、発電装置（5）の発電量が十分に多い場合は、負荷の大きい冷却回路（28,29）に対して電力供給を行う一方、発電装置（5）の発電量が少ない場合、第２整流器（86）の出力電圧の最小値よりも低電圧で作動する負荷（6）だけを作動させることで、該発電電力を捨てることなく、有効に利用することができる。
【００３５】
上記第２の発明では、第１整流器（81）の出力電圧と第２整流器（86）の出力電圧とに基づいて発電装置（5）の直流の供給先を切り換えるようにスイッチ部（104）を構成した。
【００３６】
ここで、第１整流器（81）の出力電圧よりも第２整流器（86）の出力電圧が高い場合、第１圧縮機（11A）における負荷が大きくなっている。このため、発電装置（5）の発電電力を第１圧縮機（11A）に繋がる第１インバータ（82）に供給するようにしている。一方で、発電装置（5）の出力電圧が第１整流器（81）の出力電圧よりも低い場合には、発電装置（5）の直流を負荷（6）だけに供給するようにしたため、発電電力によって負荷（6）だけを作動させることができる。つまり、発電装置（5）の発電量が十分に多い場合は、負荷の大きい第１圧縮機（11A）に対して電力供給を行う一方、発電装置（5）の発電量が少ない場合、第１整流器（81）の出力電圧の最小値よりも低電圧で作動する負荷（6）だけを作動させることで、該発電電力を捨てることなく、有効に利用することができる。
【００３７】
また、第１整流器（81）の出力電圧よりも第２整流器（86）の出力電圧が低い場合、第２圧縮機（43）における負荷が大きくなっている。このため、発電装置（5）の発電電力を第２圧縮機（43）に繋がる第２インバータ（87）に供給するようにしている。一方で、発電装置（5）の出力電圧が第２整流器（86）の出力電圧よりも低い場合には、発電装置（5）の直流を負荷（6）だけに供給するようにしたため、発電電力によって負荷（6）だけを作動させることができる。つまり、発電装置（5）の発電量が十分に多い場合は、負荷の大きい第２圧縮機（43）に対して電力供給を行う一方、発電装置（5）の発電量が少ない場合、第２整流器（86）の出力電圧の最小値よりも低電圧で作動する負荷（6）だけを作動させることで、該発電電力を捨てることなく、有効に利用することができる。
【００３８】
上記第３の発明によれば、発電装置（5）の出力電圧が整流器（81）の出力電圧よりも低く、且つ所定電圧よりも低い場合には、整流器（81）の直流を出力部（94）へ流すようにしたため、発電装置（5）の出力電圧が低下した場合に、整流器（81）の直流を負荷（6）に供給することができる。つまり、発電装置（5）の出力不足に応じて商用電源（3）から負荷（6）に電力を供給することができる。これにより、発電電力の不足によって負荷（6）の作動が停止するのを防止することができる。
【００３９】
上記第４の発明によれば、発電装置（5）の発電電力を蓄電する蓄電装置（109）を設けたため、発電装置（5）の発電電力を捨てることなく、溜めることができる。
【００４０】
上記第５の発明によれば、電圧変換部（93）を設けたため、発電装置（5）から入力した直流の電圧を調節することができる。これにより、発電装置（5）から入力した直流の電圧を負荷（6）の作動電圧に応じて調節することができる。
【００４１】
上記第６の発明によれば、入力された発電装置（5）の直流を交流に変換するパワーコンディショナ（110）を備えたため、変換された交流を屋内配線などに供給することができる。
【図面の簡単な説明】
【００４２】
【図１】本実施形態１に係る冷凍システムを示す構成図である。
【図２】本実施形態１に係る電源制御装置を示す構成図である。
【図３】本実施形態２に係る冷凍システムを示す構成図である。
【図４】本実施形態２に係る冷凍装置を示す配管系統図である。
【図５】本実施形態２に係る電源制御装置を示す構成図である。
【図６】本実施形態３に係る冷凍システムを示す構成図である。
【図７】本実施形態３に係る電源制御装置を示す構成図である。
【図８】本実施形態４に係る電源制御装置を示す構成図である。
【図９】本実施形態５に係る電源制御装置を示す構成図である。
【発明を実施するための形態】
【００４３】
以下、本発明の実施形態を図面に基づいて詳細に説明する。
【００４４】
〈発明の実施形態１〉
図１および図２に示すように、本実施形態１に係る冷凍システム（1）は、空気調和装置（7）と、電源制御装置（90）と、ＰＶアレイ（5）と、ＬＥＤ照明（6）とを備えて構成されている。
【００４５】
〈空気調和装置の構成〉
図１に示すように、本実施形態１に係る冷房運転と暖房運転とを切り換えて行う空気調和装置（7）に本発明の冷凍装置を適用したものである。
【００４６】
上記空気調和装置（7）は、室外ユニット（10）と室内ユニット（20）とを備え、該両ユニット（10,20）の内部に冷媒が循環して蒸気圧縮式冷凍サイクルを構成すると共に、冷媒循環の可逆な冷媒回路が設けられている。室外ユニット（10）の内部には、圧縮機と室外熱交換器と膨張弁が収容され、室内ユニット（20）の内部には、室内熱交換器が収容されている。
【００４７】
上記冷媒回路は、圧縮機と、四路切換弁と、熱源側の熱交換器である室外熱交換器と、膨張機構である膨張弁と、利用側の熱交換器である室内熱交換器とが冷媒配管によって順に直列に接続されて構成されている。
【００４８】
〈空調装置の電源の構成〉
次に、本実施形態１に係る冷凍システム（1）の電源の構成について説明する。図１に示すように、上記冷凍システム（1）には、商用電源（3）、およびＰＶアレイ（5）が電源として設けられている。
【００４９】
上記商用電源（3）には、上記空気調和装置（7）の室外ユニット（10）および室内ユニット（20）が電源ライン（4）によって接続されている。上記ＰＶアレイ（5）には、電源制御装置（90）を介して上記冷凍装置（7）の室外ユニット（10）およびＬＥＤ照明（6）とがＤＣライン（2a,2b）によって接続されている。
【００５０】
〈電源制御装置の構成〉
次に、本実施形態１に係る電源制御装置（90）について説明する。図２に示すように、上記電源制御装置（90）は、入力部（91）と、出力部（94）と、接続回路（100）と、制御部（95）と、コンバータ（93）とを備えている。電源制御装置（90）は、接続回路（100）によって室外ユニット（10）の電源部（80）と接続され、出力部（94）によってＬＥＤ照明（6）に接続され、入力部（91）によってＰＶアレイ（5）に接続されている。
【００５１】
上記室外ユニット（10）では、電源部（80）と商用電源（3）とが電源ライン（4）によって接続されている。電源部（80）は、商用電源（3）に接続されて直流を出力する整流器（81）と、該整流器（81）に接続されて圧縮機へ交流を供給するインバータ（82）とを備えている。つまり、商用電源（3）の交流が整流器（81）によって電力変換されて直流となってインバータ（82）に供給される。
【００５２】
上記ＬＥＤ照明（6）は、電源制御装置（90）の出力部（94）に接続され、出力部（94）から出力された直流によって作動するものである。ＬＥＤ照明（6）は、本発明に係る負荷を構成している。つまり、ＬＥＤ照明（6）は、上記圧縮機を駆動するのに必要な整流器（81）の出力電圧の最小値よりも低い電圧によって作動するようになっている。尚、ＬＥＤ照明（6）は、ＰＶアレイ（5）の出力電圧よりも低い電圧で作動するようにしてもよい。
【００５３】
上記入力部（91）は、ＰＶアレイ（5）から直流を入力するものである。上記ＰＶアレイ（5）は、太陽電池パネルで構成されている。このＰＶアレイ（5）は、太陽光が照射されることで直流電力を発電する。ＰＶアレイ（5）は、本発明に係る発電装置を構成している。
【００５４】
具体的に、上記入力部（91）は、逆電圧保護部（92）を備え、一端がＰＶアレイ（5）に接続され、他端がコンバータ（93）に接続されている。入力部（91）には、ＰＶアレイ（5）によって発電された直流が入力される。逆電圧保護部（92）は、ＰＶアレイ（5）からコンバータ（93）の向きの電流のみを許容する。入力部（91）では、ＭＰＰＴ（Maximum Power Point Tracking）制御が行われる。ＭＰＰＴ制御は、山のぼり法ともいわれる。つまり、入力部（91）は、ＰＶアレイ（5）の各パネルの出力電力（動作点）が最大電力点に近づくように、各パネルの出力電圧を調整する。
【００５５】
上記コンバータ（93）は、ＤＣ／ＤＣコンバータに構成されている。コンバータ（93）は、接続回路（100）、入力部（91）、出力部（94）、および制御部（95）に接続される。コンバータ（93）では、入力部（91）から入力された直流を、出力部（94）、接続回路（100）、および制御部（95）に供給している。
【００５６】
具体的に、コンバータ（93）は、入力部（91）から入力された直流の電圧を降圧させて出力部（94）からＬＥＤ照明（6）に出力している。つまり、出力部（94）の出力によってＬＥＤ照明（6）が作動する。また、コンバータ（93）では、入力部（91）から入力された直流の一部を接続回路（100）に供給する。そして、コンバータ（93）では、入力部（91）から入力された直流の一部を制御部（95）に供給している。制御部（95）は、コンバータ（93）から供給された直流によって作動している。
【００５７】
上記接続回路（100）は、接続ライン（101）と、該接続ライン（101）に設けられる保護器（103）、スイッチ部（104）、および保護回路（102）とを備えている。
【００５８】
上記接続ライン（101）は、一端がコンバータ（93）に接続される一方、他端が上記室外ユニット（10）の電源部（80）における整流器（81）とインバータ（82）に接続されている。上述したように、接続ライン（101）には、保護回路（102）と、スイッチ部（104）と、保護器（103）とが設けられている。
【００５９】
上記保護回路（102）は、接続回路（100）に異常な電圧が印加された場合に、該接続回路（100）を遮断して接続回路（100）に接続される機器を保護するものである。保護回路（102）は、通常時は常にオン状態となっており、後述する電圧検知部（96）において異常電圧が検知された場合、切断制御部（97）によって切断される。
【００６０】
上記保護器（103）は、接続回路（100）における電位差を吸収するための抵抗素子である。尚、保護器（103）の代わりにリアクトルを用いてもよい。
【００６１】
上記スイッチ部（104）は、サイリスタによって構成された双方向スイッチである。スイッチ部（104）は、制御部（95）のスイッチ制御部（98）によってオン／オフが制御される。スイッチ部（104）がオン状態になると、接続回路（100）を介してコンバータ（93）と電源部（80）とが接続される。一方、スイッチ部（104）がオフ状態になると、接続回路（100）が遮断され、コンバータ（93）と電源部（80）とが切断される。尚、スイッチ部（104）は、ＧＴＯなどによって構成してもよい。
【００６２】
上記制御部（95）は、電圧検知部（96）と、切断制御部（97）と、スイッチ制御部（98）とを備えている。
【００６３】
上記電圧検知部（96）は、上記コンバータ（93）から接続回路（100）へ出力される直流の電圧（Ｖ１）を検知する一方、整流器（81）の出力電圧（Ｖ２）を検知するものである。
【００６４】
上記切断制御部（97）は、上記保護回路（102）のオン／オフを制御するものである。切断制御部（97）は、上記電圧検知部（96）の検知電圧（Ｖ１，Ｖ２）に基づいて保護回路（102）のオン／オフを切り換えることで接続回路（100）を断続させる。具体的には、切断制御部（97）は、検知電圧（Ｖ１，Ｖ２）が異常である場合に保護回路（102）をオフにして接続回路（100）を切断する。
【００６５】
上記スイッチ制御部（98）は、上記スイッチ部（104）のオンとオフを切り換えるものである。具体的に、スイッチ制御部（98）は、電圧検知部（96）の検知電圧（Ｖ１，Ｖ２）を比較し、Ｖ１がＶ２よりも大きい場合、スイッチ部（104）をオン状態に切り換える。こうすることで、接続回路（100）を介してコンバータ（93）と、電源部（80）とが接続される。ＰＶアレイ（5）の直流が接続回路（100）へ付与され、圧縮機のインバータ（82）に対して直流が付与される。また、同時にコンバータ（93）から出力部（94）を介してＬＥＤ照明（6）に直流が付与される。つまり、インバータ（82）、およびＬＥＤ照明（6）に対してＰＶアレイ（5）で発電された直流が供給される。
【００６６】
一方、スイッチ制御部（98）は、上記電圧検知部（96）の検知電圧（Ｖ１，Ｖ２）を比較し、Ｖ１がＶ２よりも低い場合、スイッチ部（104）をオフ状態に切り換える。こうすることで、接続回路（100）が遮断され、コンバータ（93）と電源部（80）とが切断される。このとき、接続回路（100）には、ＰＶアレイ（5）で発電された直流は付与されず、該直流は、コンバータ（93）から出力部（94）を介してＬＥＤ照明（6）に付与される。つまり、ＰＶアレイ（5）の直流はＬＥＤ照明（6）にだけに流れる。尚、接続回路（100）の遮断には、保護回路（102）を利用してもよい。
【００６７】
さらに、スイッチ制御部（98）は、上記電圧検知部（96）の検知電圧（Ｖ１，Ｖ２）を比較し、Ｖ１がＶ２よりも低く、且つ検知電圧（Ｖ１）が所定の電圧よりも低い場合、スイッチ部（104）をオン状態に切り換える。こうすると、接続回路（100）を介してコンバータ（93）と、電源部（80）とが接続される。そして、商用電源（3）から整流器（81）で整流された直流がコンバータ（93）に付与される。そして、コンバータ（93）から出力部（94）を介してＬＥＤ照明（6）に直流が付与される。つまり、ＬＥＤ照明（6）に対して商用電源（3）の直流が流れる。尚、ＰＶアレイ（5）の出力停止状態においても同様の制御を行う。
【００６８】
−実施形態１の効果−
上記実施形態１によれば、ＰＶアレイ（5）の出力電圧が整流器（81）の出力電圧よりも高い場合にＰＶアレイ（5）の直流をＬＥＤ照明（6）とインバータ（82）に供給するようにしたため、発電電力によってインバータ（82）およびＬＥＤ照明（6）を作動させることができる。これにより、商用電源（3）から入力させる電力を節約することができる。
【００６９】
一方、ＰＶアレイ（5）の出力電圧が整流器（81）の出力電圧よりも低い場合にＰＶアレイ（5）の直流をＬＥＤ照明（6）に供給するようにしたため、発電電力によってＬＥＤ照明（6）だけを作動させることができる。つまり、ＰＶアレイ（5）の発電量が少ない場合、整流器（81）の出力電圧の最小値よりも低電圧で作動するＬＥＤ照明（6）だけを作動させることで、該発電電力を捨てることなく、有効に利用することができる。
【００７０】
また、ＰＶアレイ（5）の出力電圧が整流器（81）の出力電圧よりも低く、且つ所定電圧よりも低い場合には、整流器（81）の直流を出力部（94）へ流すようにしたため、ＰＶアレイ（5）の出力電圧が低下した場合に、整流器（81）の直流をＬＥＤ照明（6）に供給することができる。つまり、ＰＶアレイ（5）の出力不足に応じて商用電源（3）からＬＥＤ照明（6）に電力を供給することができる。これにより、ＰＶアレイ（5）の発電電力の不足によってＬＥＤ照明（6）の作動が停止するのを防止することができる。
【００７１】
また、コンバータ（93）を設けたため、ＰＶアレイ（5）から入力した直流の電圧を調節することができる。これにより、ＰＶアレイ（5）から入力した直流の電圧をＬＥＤ照明（6）の作動電圧に応じて調節することができる。
【００７２】
〈発明の実施形態２〉
図３および図４に示すように、本実施形態２に係る冷凍システム（1）は、冷凍装置（7）と、電源制御装置（90）と、ＰＶアレイ（5）と、ＬＥＤ照明（6）とを備えて構成されている。
【００７３】
〈冷凍装置の全体構成〉
本実施形態２に係る冷凍装置（7）は、例えばコンビニエンスストアに設けられる。この冷凍装置（7）は、図４に示すように、室外に設置される庫外ユニット（10）と、店内空間を空調する空調ユニット（20）と、冷蔵ショーケースの庫内を冷却する冷蔵ユニット（30）と、冷凍ショーケースの庫内を冷却する冷凍ユニット（40）と、後述するブースタ圧縮機（43）が設けられるブースタユニット（50）とを備えている。
【００７４】
この冷凍装置（7）では、これらのユニット（10,20,30,40,50）がガス側連絡配管（51,52,53）及び液側連絡配管（54,55,56,57）で接続されることによって、蒸気圧縮式冷凍サイクルを行う冷媒回路（14）が構成されている。
【００７５】
〈庫外ユニット〉
庫外ユニット（10）は、熱源側回路である庫外回路（25）を備えている。庫外回路（25）には、３台の圧縮機（11）によって構成された圧縮機構（12）、熱源側熱交換器である庫外熱交換器（15）、レシーバ（17）、第１四路切換弁（71）、第２四路切換弁（72）、及び第３四路切換弁（73）が設けられている。
【００７６】
圧縮機構（12）は、運転容量が可変の第１圧縮機（11A）と、運転容量が固定の第２圧縮機（11B）と、運転容量が固定の第３圧縮機（11C）とから構成されている。これらの圧縮機（11A,11B,11C）は、互いに並列に接続されている。
【００７７】
第１圧縮機（11A）、第２圧縮機（11B）、及び第３圧縮機（11C）は何れも、例えば全密閉の高圧ドーム型のスクロール圧縮機として構成されている。第１圧縮機（11A）には、第１電源部（80）を介して電力が供給される。第１圧縮機（11A）は、第１電源部（80）の第１インバータ（82）の出力周波数を変化させることによって、その運転容量を段階的に調節することができるように構成されている。第１圧縮機（11A）の運転容量は、複数段階（例えば２０段階）に調節可能に構成されている。一方、第２圧縮機（11B）及び第３圧縮機（11C）は、電動機が常に一定の回転速度で運転されるものであって、その運転容量が変更不能となっている。尚、上記第１インバータ（82）は、本発明に係るインバータを構成している。
【００７８】
第１圧縮機（11A）の第１吐出管（56a）、第２圧縮機（11B）の第２吐出管（56b）及び第３圧縮機（11C）の第３吐出管（56c）は、１本の高圧ガス管（57）に接続されている。各吐出管（56a,56b,56c）には、逆止弁（CV1,CV2,CV3）と高圧圧力スイッチ（78a,78b,78c）とがそれぞれ設けられている。各逆止弁（CV1,CV2,CV3）は、高圧ガス管（57）へ向かう冷媒の流れのみを許容するように構成されている。また、各高圧圧力スイッチ（78a,78b,78c）は、異常高圧時に同じ吐出管（56）に接続する圧縮機（11）を緊急停止させるように構成されている。また、高圧ガス管（57）には、圧縮機構（12）の吐出冷媒から冷凍機油を分離する油分離器（13）が設けられている。
【００７９】
庫外熱交換器（15）は、クロスフィン式のフィン・アンド・チューブ型熱交換器により構成されている。庫外熱交換器（15）の近傍には、庫外熱交換器（15）に庫外空気を送る庫外ファン（16）が設けられている。庫外熱交換器（15）では、冷媒と庫外空気との間で熱交換が行われる。
【００８０】
庫外熱交換器（15）の液側には、室外液管（62）の一端が接続されている。室外液管（62）の他端は、第３閉鎖弁（18c）を介して集合液管（54）に接続されている。室外液管（62）には、液冷媒を貯留するためのレシーバ（17）が設けられている。レシーバ（17）の頂部には、室外液管（62）の庫外熱交換器（15）側を構成する第１室外液管（62a）が接続されている。レシーバ（17）の底部には、室外液管（62）の集合液管（54）側を構成する第２流入管（62b）が接続されている。第１室外液管（62a）には、レシーバ（17）へ向かう冷媒の流れのみを許容する逆止弁（CV6）が設けられている。第２流入管（62b）には、集合液管（54）へ向かう冷媒の流れのみを許容する逆止弁（CV7）が設けられている。
【００８１】
室外液管（62）には、共にレシーバ（17）をバイパスする第１液分岐管（65）及び第２液分岐管（66）が接続されている。第１液分岐管（65）は、一端が第１室外液管（62a）における庫外熱交換器（15）と逆止弁（CV6）との間に接続され、他端が第２流入管（62b）におけるレシーバ（17）と逆止弁（CV7）との間に接続されている。第２液分岐管（66）は、一端が第１室外液管（62a）におけるレシーバ（17）と逆止弁（CV6）との間に接続され、他端が第２流入管（62b）における逆止弁（CV7）と第３閉鎖弁（18c）との間に接続されている。第１液分岐管（65）には、開度の調節が可能な電子膨張弁として構成された第１庫外膨張弁（19）が設けられている。第２液分岐管（66）には、開度の調節が可能な電子膨張弁として構成された第２庫外膨張弁（24）と、レシーバ（17）へ向かう冷媒の流れのみを許容する逆止弁（CV8）が設けられている。また、第２液分岐管（66）には、第２庫外膨張弁（24）に対して並列に配置された第１電磁弁（SV1）が設けられている。
【００８２】
この実施形態２では、庫外回路（25）に第４四路切換弁（74）が設けられている。第４四路切換弁（74）の第１ポート（P1）には、第１吸入管（61a）から分岐した第３吸入分岐管（61f）が接続されている。第４四路切換弁（74）の第２ポート（P2）には、第４閉鎖弁（18d）を介して第２ガス側連絡配管（52）に接続された第３室外ガス管（58c）が接続されている。第４四路切換弁（74）の第３ポート（P3）は、閉塞された閉鎖ポートに構成されている。第４四路切換弁（74）の第４ポート（P4）には、第１吐出管（56a）から分岐した分岐吐出管（56d）が接続されている。なお、第４四路切換弁（74）の代わりに、三路切換弁を用いてもよい。また、第４四路切換弁（74）の代わりに、第３室外ガス管（58c）と分岐吐出管（56d）と第３吸入分岐管（61f）とを直接接続して分岐吐出管（56d）と第３吸入分岐管（61f）にそれぞれ電磁弁を設けてもよい。
【００８３】
第１四路切換弁（71）、第２四路切換弁（72）、第３四路切換弁（73）、及び第４四路切換弁（74）は、共に、第１ポート（P1）と第２ポート（P2）が連通して第３ポート（P3）と第４ポート（P4）が連通する第１状態と、第１ポート（P1）と第３ポート（P3）が連通して第２ポート（P2）と第４ポート（P4）が連通する第２状態との間で切り換え自在に構成されている。
【００８４】
第１四路切換弁（71）は、空調ユニット（20）の運転状態を暖房運転と冷房運転との間で切り換えるためのものである。第１四路切換弁（71）は、圧縮機構（12）の吐出側の連通先を空調ユニット（20）と庫外熱交換器（15）との間で切り換える。
【００８５】
第２四路切換弁（72）は、補助ガス管（59）が庫外熱交換器（15）に連通する状態と連通しない状態との間の切り換えを行う。
【００８６】
第３四路切換弁（73）は、第２圧縮機（11B）を空調ユニット（20）側で使用する状態と、第２圧縮機（11B）を冷蔵ユニット（30）及び冷凍ユニット（40）側で使用する状態との間の切り換えを行うためのものである。第３四路切換弁（73）は、第２圧縮機（11B）の吸入管（61b）が第１圧縮機（11A）の吸入管（61a）に連通する状態と、第２圧縮機（11B）の吸入管（61b）が第３圧縮機（11C）の吸入管（61c）に連通する状態との間の切り換えを行う。
【００８７】
第４四路切換弁（74）は、第２冷却回路（76）の動作状態を、第２冷却熱交換器（41）が蒸発器として動作する冷却動作と、第２冷却熱交換器（41）が凝縮器（放熱器）として動作することによって第２冷却熱交換器（41）に付着した氷を融解させる氷融解動作との間で切り換えるためのものである。第４四路切換弁（74）は、ブースタ回路（29）を介して第２冷却熱交換器（41）のガス側に繋がる第２ガス側連絡配管（52）の連通先だけを、圧縮機構（12）の吐出側と吸入側との間で切り換える切換手段（74）を構成している。
【００８８】
〈空調ユニット〉
空調ユニット（20）には、空調冷媒回路（26）が収容されている。空調冷媒回路（26）では、その液側端からガス側端へ向かって順に、空調用膨張弁（22）と空調用熱交換器（21）とが設けられている。
【００８９】
空調用膨張弁（22）は、開度が調節可能な電子膨張弁により構成されている。また、空調用熱交換器（21）は、クロスフィン式のフィン・アンド・チューブ型熱交換器により構成されている。空調用熱交換器（21）の近傍には、空調用熱交換器（21）に室内空気を送る室内ファン（23）が設けられている。空調用熱交換器（21）では、冷媒と室内空気との間で熱交換が行われる。
【００９０】
〈冷蔵ユニット〉
冷蔵ユニット（30）には、第１冷却回路（75）を構成する冷蔵回路（27）が収容されている。冷蔵回路（27）では、その液側端からガス側端へ向かって順に、第１庫内膨張弁（32）と第１冷却熱交換器（31）とが設けられている。
【００９１】
第１庫内膨張弁（32）は、開度の調節が可能な電子膨張弁により構成されている。また、第１冷却熱交換器（31）は、クロスフィン式のフィン・アンド・チューブ型熱交換器により構成されている。第１冷却熱交換器（31）の近傍には、第１冷却熱交換器（31）に庫内空気を送る第１庫内ファン（33）が設けられている。第１冷却熱交換器（31）では、冷媒と庫内空気との間で熱交換が行われる。なお、第１冷却熱交換器（31）のガス側は、常に圧縮機構（12）の吸込側に連通している。
【００９２】
〈冷凍ユニット〉
冷凍ユニット（40）には、冷凍回路（28）が収容されている。冷凍回路（28）では、その液側端からガス側端へ向かって順に、第２庫内膨張弁（42）と第２冷却熱交換器（41）とが設けられている。
【００９３】
第２庫内膨張弁（42）は、開度の調節が可能な電子膨張弁により構成されている。また、第２冷却熱交換器（41）は、クロスフィン式のフィン・アンド・チューブ型熱交換器により構成されている。第２冷却熱交換器（41）の近傍には、第２冷却熱交換器（41）に庫内空気を送る第２庫内ファン（46）が設けられている。第２冷却熱交換器（41）では、冷媒と庫内空気との間で熱交換が行われる。
【００９４】
〈ブースタユニット〉
ブースタユニット（50）には、冷凍回路（28）及び接続ガス管（38）と共に第２冷却回路（76）を構成するブースタ回路（29）が収容されている。ブースタユニット（50）には、ブースタ圧縮機（43）が設けられている。ブースタ圧縮機（43）は、後述する冷凍回路（28）の冷却動作の実行中に第２冷却熱交換器（41）で蒸発した冷媒を圧縮して圧縮機構（12）へ送る補助圧縮機を構成している。ブースタ圧縮機（43）は、例えば全密閉の高圧ドーム型のスクロール圧縮機として構成されている。ブースタ圧縮機（43）には、ブースタ用電源部（85）を介して電力が供給される。ブースタ圧縮機（43）は、ブースタ用電源部（85）のブースタ用インバータ（87）の出力周波数を変化させることによって、その運転容量を段階的に調節することができるように構成されている。ブースタ圧縮機（43）の運転容量は、複数段階（例えば２０段階）に調節可能に構成されている。尚、上記ブースタ用インバータ（87）は、本発明に係るインバータを構成している。また、ブースタユニット（50）に、ブースタ圧縮機（43）が複数台設けられていてもよい。その場合、複数のブースタ圧縮機（43）は互いに並列に接続される。
【００９５】
ブースタ圧縮機（43）の吐出管（68）は、第２ガス側連絡配管（52）に接続されている。吐出管（68）には、庫外回路（25）へ向かう冷媒の流れのみを許容する逆止弁（CV9）と、ブースタ圧縮機（43）の吐出冷媒から冷凍機油を分離する油分離器（44）と、異常高圧時にブースタ圧縮機（43）を緊急停止させる高圧圧力スイッチ（78d）とが設けられている。ブースタ圧縮機（43）の吸入管（60）は、接続ガス管（38）に接続されている。
【００９６】
ブースタ回路（29）は、第１バイパス管（47）と第２バイパス管（48）とを備えている。第１バイパス管（47）と第２バイパス管（48）は、共に吸入管（60）と吐出管（68）とを接続している。第２バイパス管（48）は、後述する冷凍回路（28）の氷融解動作の実行中に圧縮機構（12）から吐出された冷媒がブースタ圧縮機（43）をバイパスして流れるバイパス通路を構成している。
【００９７】
吸入管（60）では、第１バイパス管（47）が第２バイパス管（48）よりもブースタ圧縮機（43）側に接続されている。吐出管（68）では、第２バイパス管（48）が第１バイパス管（47）よりもブースタ圧縮機（43）側に接続されている。吐出管（68）では、第２バイパス管（48）が油分離器（44）に接続されている。第１バイパス管（47）には、吐出管（68）へ向かう冷媒の流れのみを許容する逆止弁（CV10）が設けられている。第２バイパス管（48）には、第２電磁弁（SV2）が設けられている。
【００９８】
〈冷凍装置の電源の構成〉
次に、本実施形態２に係る冷凍システム（1）の電源の構成について説明する。図３に示すように、上記冷凍システム（1）には、商用電源（3）、およびＰＶアレイ（5）が電源として設けられている。
【００９９】
商用電源（3）には、上記冷凍装置（7）の空調ユニット（20）、冷凍ユニット（40）、冷蔵ユニット（30）の電源部、冷凍装置（7）の庫外ユニット（10）およびブースタユニット（50）の電源部（80,85）が電源ライン（4）によって接続されている。上記ＰＶアレイ（5）には、電源制御装置（90）を介して上記冷凍装置（7）の庫外ユニット（10）、およびＬＥＤ照明（6）とがＤＣライン（2a,2b）によって接続されている。
【０１００】
〈電源制御装置の構成〉
次に、本実施形態２に係る電源制御装置（90）について説明する。図５に示すように、上記電源制御装置（90）は、入力部（91）と、出力部（94）と、接続回路（100）と、制御部（95）と、コンバータ（93）とを備えている。電源制御装置（90）は、接続回路（100）によって庫外ユニット（10）の第１電源部（80）と接続され、出力部（94）によってＬＥＤ照明（6）に接続され、入力部（91）によってＰＶアレイ（5）に接続されている。尚、図５に示すように、庫外ユニット（10）の代わりにブースタユニット（50）のブースタ用電源部（85）に接続するようにしてもよい。
【０１０１】
上記庫外ユニット（10）では、第１電源部（80）と商用電源（3）とが電源ライン（4）によって接続されている。第１電源部（80）は、商用電源（3）に接続されて直流を出力する第１整流器（81）と、該第１整流器（81）に接続されて第１圧縮機（11A）へ交流を供給する第１インバータ（82）とを備えている。つまり、商用電源（3）の交流が第１整流器（81）によって電力変換されて直流となって第１インバータ（82）に供給される。
【０１０２】
上記接続回路（100）は、接続ライン（101）と、該接続ライン（101）に設けられる保護器（103）、スイッチ部（104）、および保護回路（102）とを備えている。
【０１０３】
上記接続ライン（101）は、一端がコンバータ（93）に接続される一方、他端が上記庫外ユニット（10）の第１電源部（80）における第１整流器（81）と第１インバータ（82）に接続されている。上述したように、接続ライン（101）には、保護回路（102）と、スイッチ部（104）と、保護器（103）とが設けられている。
【０１０４】
上記保護回路（102）は、接続回路（100）に異常な電圧が印加された場合に、該接続回路（100）を遮断して接続回路（100）に接続される機器を保護するものである。保護回路（102）は、通常時は常にオン状態となっており、後述する電圧検知部（96）において異常電圧が検知された場合、切断制御部（97）によって切断される。
【０１０５】
上記保護器（103）は、接続回路（100）における電位差を吸収するための抵抗素子である。尚、保護器（103）の代わりにリアクトルを用いてもよい。
【０１０６】
上記スイッチ部（104）は、サイリスタによって構成された双方向スイッチである。スイッチ部（104）は、制御部（95）のスイッチ制御部（98）によってオン／オフが制御される。スイッチ部（104）がオン状態になると、接続回路（100）を介してコンバータ（93）と第１電源部（80）とが接続される。一方、スイッチ部（104）がオフ状態になると、接続回路（100）が遮断され、コンバータ（93）と第１電源部（80）とが切断される。尚、スイッチ部（104）は、ＧＴＯなどによって構成してもよい。
【０１０７】
上記制御部（95）は、電圧検知部（96）と、切断制御部（97）と、スイッチ制御部（98）とを備えている。
【０１０８】
上記電圧検知部（96）は、上記コンバータ（93）から接続回路（100）へ出力される直流の電圧（Ｖ１）を検知する一方、第１整流器（81）の出力電圧（Ｖ２）を検知するものである。
【０１０９】
上記切断制御部（97）は、上記保護回路（102）のオン／オフを制御するものである。切断制御部（97）は、上記電圧検知部（96）の検知電圧（Ｖ１，Ｖ２）に基づいて保護回路（102）のオン／オフを切り換えることで接続回路（100）を断続させる。具体的には、切断制御部（97）は、検知電圧（Ｖ１，Ｖ２）が異常である場合に保護回路（102）をオフにして接続回路（100）を切断する。
【０１１０】
上記スイッチ制御部（98）は、上記スイッチ部（104）のオンとオフを切り換えるものである。具体的に、スイッチ制御部（98）は、電圧検知部（96）の検知電圧（Ｖ１，Ｖ２）を比較し、Ｖ１がＶ２よりも大きい場合、スイッチ部（104）をオン状態に切り換える。こうすることで、接続回路（100）を介してコンバータ（93）と、第１電源部（80）とが接続される。ＰＶアレイ（5）の直流が接続回路（100）へ付与され、第１圧縮機（11A）の第１インバータ（82）に対して直流が付与される。また、同時にコンバータ（93）から出力部（94）を介してＬＥＤ照明（6）に直流が付与される。つまり、第１インバータ（82）、およびＬＥＤ照明（6）に対してＰＶアレイ（5）で発電された直流が供給される。
【０１１１】
一方、スイッチ制御部（98）は、上記電圧検知部（96）の検知電圧（Ｖ１，Ｖ２）を比較し、Ｖ１がＶ２よりも低い場合、スイッチ部（104）をオフ状態に切り換える。こうすることで、接続回路（100）が遮断され、コンバータ（93）と第１電源部（80）とが切断される。このとき、接続回路（100）には、ＰＶアレイ（5）で発電された直流は付与されず、該直流は、コンバータ（93）から出力部（94）を介してＬＥＤ照明（6）に付与される。つまり、ＰＶアレイ（5）の直流はＬＥＤ照明（6）にだけに流れる。
【０１１２】
さらに、スイッチ制御部（98）は、上記電圧検知部（96）の検知電圧（Ｖ１，Ｖ２）を比較し、Ｖ１がＶ２よりも低く、且つ検知電圧（Ｖ１）が所定の電圧よりも低い場合、スイッチ部（104）をオン状態に切り換える。こうすると、接続回路（100）を介してコンバータ（93）と、第１電源部（80）とが接続される。そして、商用電源（3）から第１整流器（81）で整流された直流がコンバータ（93）に付与される。そして、コンバータ（93）から出力部（94）を介してＬＥＤ照明（6）に直流が付与される。つまり、ＬＥＤ照明（6）に対して商用電源（3）の直流が流れる。
【０１１３】
〈発明の実施形態３〉
次に、本実施形態３について説明する。本実施形態３は、図６および図７に示すように、上記実施形態２とは電源制御装置（90）の構成が異なっている。具体的には、本実施形態３に係る電源制御装置（90）は、上記実施形態２のものとは、制御部（95）および接続回路（100）の構成が異なっている。本実施形態３では、上記実施形態２と異なる部分についてのみ説明し、共通する部分の説明は省略する。
【０１１４】
〈冷凍装置の電源の構成〉
次に、本実施形態３に係る冷凍システム（1）の電源の構成について説明する。図６に示すように、上記冷凍システム（1）には、商用電源（3）、およびＰＶアレイ（5）が電源として設けられている。
【０１１５】
商用電源（3）には、上記冷凍装置（7）の空調ユニット（20）、冷凍ユニット（40）、冷蔵ユニット（30）の電源部、冷凍装置（7）の庫外ユニット（10）およびブースタユニット（50）の電源部（80,85）が電源ライン（4）によって接続されている。上記ＰＶアレイ（5）には、電源制御装置（90）を介して上記冷凍装置（7）の庫外ユニット（10）、ブースタユニット（50）およびＬＥＤ照明（6）とがＤＣライン（2a,2b）によって接続されている。
【０１１６】
上記ブースタユニット（50）では、ブースタ用電源部（85）と商用電源（3）とが電源ライン（4）によって接続されている。ブースタ用電源部（85）は、商用電源（3）に接続されて直流を出力するブースタ用整流器（86）と、該ブースタ用整流器（86）に接続されてブースタ圧縮機（43）へ交流を供給するブースタ用インバータ（87）とを備えている。つまり、商用電源（3）の交流がブースタ用整流器（86）によって電力変換されて直流となってブースタ用インバータ（87）に供給される。
【０１１７】
本実施形態３に係る電源制御装置（90）は、接続回路として第１接続回路（100a）と第２接続回路（100b）とを備えている。
【０１１８】
上記第１接続回路（100a）は、第１接続ライン（101a）と、該第１接続ライン（101a）に設けられる第１保護器（103a）、第１スイッチ部（104a）、および第１保護回路（102a）とを備えている。
【０１１９】
上記第１接続ライン（101a）は、一端がコンバータ（93）に接続される一方、他端が上記第１電源部（80）の第１整流器（81）と、第１インバータ（82）との間に接続されている。第１接続ライン（101a）には、第１保護回路（102a）と、第１スイッチ部（104a）と、第１保護器（103a）とが設けられている。
【０１２０】
上記第１保護回路（102a）は、第１接続回路（100a）に異常な電圧が印加された場合に、該第１接続回路（100a）を遮断して第１接続回路（100a）に接続される機器を保護するものである。第１保護回路（102a）は、通常時は常にオン状態となっており、後述する電圧検知部（96）において異常電圧が検知された場合、切断制御部（97）によって切断される。
【０１２１】
上記第１保護器（103a）は、第１接続回路（100a）における電位差を吸収するための抵抗素子である。尚、第１保護器（103a）の代わりにリアクトルを用いてもよい。
【０１２２】
上記第１スイッチ部（104a）は、サイリスタによって構成された双方向スイッチである。第１スイッチ部（104a）は、制御部（95）のスイッチ制御部（98）によってオン／オフが制御される。第１スイッチ部（104a）がオン状態になると、第１接続回路（100a）を介してコンバータ（93）と、第１電源部（80）とが接続される。一方、第１スイッチ部（104a）がオフ状態になると、第１接続回路（100a）が遮断され、コンバータ（93）と第１電源部（80）とが切断される。
【０１２３】
上記第２接続回路（100b）は、第２接続ライン（101b）と、該第２接続ライン（101b）に設けられる第２保護器（103b）、第２スイッチ部（104b）、および第２保護回路（102b）とを備えている。
【０１２４】
上記第２接続ライン（101b）は、一端がコンバータ（93）に接続される一方、他端がブースタ用電源部（85）におけるブースタ用整流器（86）と、ブースタ用インバータ（87）との間に接続されている。第２接続ライン（101b）には、第２保護回路（102b）と、第２スイッチ部（104b）と、第２保護器（103b）とが設けられている。
【０１２５】
上記第２保護回路（102b）は、第２接続回路（100b）に異常な電圧が印加された場合に、該第２接続回路（100b）を遮断して第２接続回路（100b）に接続される機器を保護するものである。第２保護回路（102b）は、通常時は常にオン状態となっており、後述する電圧検知部（96）において異常電圧が検知された場合、切断制御部（97）によって切断される。
【０１２６】
上記第２保護器（103b）は、第２接続回路（100b）における電位差を吸収するための抵抗素子である。尚、第２保護器（103b）の代わりにリアクトルを用いてもよい。
【０１２７】
上記第２スイッチ部（104b）は、サイリスタによって構成された双方向スイッチである。第２スイッチ部（104b）は、制御部（95）のスイッチ制御部（98）によってオン／オフが制御される。第２スイッチ部（104b）がオン状態になると、第２接続回路（100b）を介してコンバータ（93）と、ブースタ用電源部（85）とが接続される。一方、第２スイッチ部（104b）がオフ状態になると、第２接続回路（100b）が遮断され、コンバータ（93）と、ブースタ用電源部（85）とが切断される。
【０１２８】
上記制御部（95）は、電圧検知部（96）と、切断制御部（97）と、スイッチ制御部（98）とを備えている。
【０１２９】
上記電圧検知部（96）は、上記コンバータ（93）から第１接続回路（100a）へ出力される直流の電圧（Ｖ３）と、コンバータ（93）から第２接続回路（100b）へ出力される直流の電圧（Ｖ４）と、第１整流器（81）の出力電圧（Ｖ５）と、ブースタ用整流器（86）の出力電圧（Ｖ６）とを検知するものである。
【０１３０】
上記切断制御部（97）は、上記第１および第２保護回路（102a,102b）のオン／オフを制御するものである。切断制御部（97）は、上記電圧検知部（96）の検知電圧（Ｖ３〜Ｖ６）に基づいて第１および第２保護回路（102a,102b）のオン／オフを切り換えることで第１および第２接続回路（100a,100b）を断続させる。具体的には、切断制御部（97）は、検知電圧（Ｖ３〜Ｖ６）が異常である場合に第１および第２保護回路（102a,102b）のオフにして第１および第２接続回路（100a,100b）を切断する。
【０１３１】
上記スイッチ制御部（98）は、冷凍装置（7）のコントローラに接続され、該冷凍装置（7）の運転状態に応じて、第１スイッチ部（104a）および第２スイッチ部（104b）のオンとオフを切り換えるものである。
【０１３２】
具体的に、スイッチ制御部（98）は、冷凍装置（7）のコントローラと、第１スイッチ部（104a）と、第２スイッチ部（104b）に接続されている。そして、スイッチ制御部（98）は、冷凍装置（7）において冷却運転が行われた場合、第１スイッチ部（104a）を制御する一方、暖房運転が行われた場合、第２スイッチ部（104b）を制御するよう構成されている。
【０１３３】
−空調ユニットで冷却運転が行われる場合−
冷凍装置（7）において、冷蔵ユニット（30）及び冷凍ユニット（40）での庫内の冷却と空調ユニット（20）での冷房とを同時に行う運転が行われると、スイッチ制御部（98）は、電圧検知部（96）の検知電圧（Ｖ３，Ｖ５）を比較し、Ｖ３がＶ５よりも大きい場合、第１スイッチ部（104a）をオン状態に切り換える。こうすることで、第１接続回路（100a）を介してコンバータ（93）と第１電源部（80）とが接続され、第１接続回路（100a）を介して第１圧縮機（11A）の第１インバータ（82）に対して直流が付与される。また、同時にコンバータ（93）から出力部（94）を介してＬＥＤ照明（6）に直流が付与される。つまり、第１圧縮機（11A）の第１インバータ（82）、およびＬＥＤ照明（6）に対してＰＶアレイ（5）で発電された直流が供給される。
【０１３４】
一方、スイッチ制御部（98）は、上記電圧検知部（96）の検知電圧（Ｖ３，Ｖ５）を比較し、Ｖ３がＶ５よりも低い場合、第１スイッチ部（104a）をオフ状態に切り換える。こうすることで、第１接続回路（100a）が遮断され、コンバータ（93）と第１電源部（80）とが切断される。このとき、第１圧縮機（11A）の第１インバータ（82）にはＰＶアレイ（5）で発電された直流は供給されず、該直流は、コンバータ（93）から出力部（94）を介してＬＥＤ照明（6）に付与される。つまり、ＰＶアレイ（5）で発電された直流はＬＥＤ照明（6）だけに供給される。
【０１３５】
さらに、スイッチ制御部（98）は、上記電圧検知部（96）の検知電圧（Ｖ３，Ｖ５）を比較し、Ｖ３がＶ５よりも低く、且つ検知電圧（Ｖ３）が所定の電圧よりも低い場合、第１スイッチ部（104a）をオン状態に切り換える。こうすると、第１接続回路（100a）を介してコンバータ（93）と第１電源部（80）とが接続される。そして、第１整流器（81）の出力電圧が第１接続回路（100a）に付与され、コンバータ（93）に流れ、出力部（94）からＬＥＤ照明（6）に直流が付与される。つまり、ＬＥＤ照明（6）に対して商用電源（3）の電力が供給される。
【０１３６】
−空調ユニットで暖房運転が行われる場合−
上記冷凍装置（7）において、庫外熱交換器（15）を用いず、冷蔵ユニット（30）及び冷凍ユニット（40）での庫内の冷却と空調ユニット（20）での暖房とを行う１００％熱回収運転が行われると、スイッチ制御部（98）は、電圧検知部（96）の検知電圧（Ｖ４，Ｖ６）を比較し、Ｖ４がＶ６よりも大きい場合、第２スイッチ部（104b）をオン状態に切り換える。こうすると、第２接続回路（100b）を介してコンバータ（93）とブースタ用電源部（85）とが接続され、第２接続回路（100b）を介してブースタ圧縮機（43）のブースタ用インバータ（87）に対して直流が付与される。また、同時にコンバータ（93）から出力部（94）を介してＬＥＤ照明（6）に直流電圧が付与される。つまり、ブースタ圧縮機（43）のブースタ用インバータ（87）、およびＬＥＤ照明（6）に対してＰＶアレイ（5）で発電された直流が供給される。
【０１３７】
一方、スイッチ制御部（98）は、上記電圧検知部（96）の検知電圧（Ｖ４，Ｖ６）を比較し、Ｖ４がＶ６よりも低い場合、第２スイッチ部（104b）をオフ状態に切り換える。こうすることで、第２接続回路（100b）が遮断され、コンバータ（93）とブースタ用電源部（85）とが切断される。このとき、ブースタ圧縮機（43）のブースタ用インバータ（87）にはＰＶアレイ（5）で発電された直流は供給されず、該直流は、コンバータ（93）から出力部（94）を介してＬＥＤ照明（6）に付与される。つまり、ＰＶアレイ（5）で発電された直流はＬＥＤ照明（6）のみに供給される。
【０１３８】
さらに、スイッチ制御部（98）は、上記電圧検知部（96）の検知電圧（Ｖ４，Ｖ６）を比較し、Ｖ４がＶ６よりも低く、且つ検知電圧（Ｖ４）が所定の電圧よりも低い場合、第２スイッチ部（104b）をオン状態に切り換える。こうすると、第２接続回路（100b）を介してコンバータ（93）と、ブースタ用電源部（85）とが接続される。そして、ブースタ用整流器（86）の出力電圧が第２接続回路（100b）に付与され、コンバータ（93）に流れ、出力部（94）からＬＥＤ照明（6）に直流が付与される。つまり、ＬＥＤ照明（6）に対して商用電源（3）の電力が供給される。
【０１３９】
−実施形態３の効果−
上記実施形態３では、空調用熱交換器（21）が行う蒸発動作と凝縮動作に応じて、ＰＶアレイ（5）の直流の供給先を切り換えるようにした。
【０１４０】
ここで、空調用熱交換器（21）が蒸発動作を行う際は、主に夏場の冷房なので、庫外回路（25）の負荷が大きくなる。このため、ＰＶアレイ（5）の発電電力を庫外回路（25）の第１圧縮機（11A）と繋がる第１インバータ（82）に供給するようにしている。一方で、ＰＶアレイ（5）の出力電圧が第１整流器（81）の出力電圧よりも低い場合には、ＰＶアレイ（5）の直流をＬＥＤ照明（6）だけに供給するようにしたため、発電電力によってＬＥＤ照明（6）だけを作動させることができる。つまり、ＰＶアレイ（5）の発電量が十分に多い場合は、負荷の大きい庫外回路（25）に対して電力供給を行う一方、ＰＶアレイ（5）の発電量が少ない場合、第１整流器（81）の出力電圧の最小値よりも低電圧で作動するＬＥＤ照明（6）だけを作動させることで、該発電電力を捨てることなく、有効に利用することができる。
【０１４１】
また、空調用熱交換器（21）が凝縮動作を行う際は、主に冬場の暖房なので、冷凍回路（28）の負荷が大きくなる。このため、ＰＶアレイ（5）の発電電力をブースタ回路（29）のブースタ圧縮機（43）に繋がるブースタ用インバータ（87）に供給するようにしている。一方で、ＰＶアレイ（5）の出力電圧がブースタ用整流器（86）の出力電圧よりも低い場合には、ＰＶアレイ（5）の直流をＬＥＤ照明（6）だけに供給するようにしたため、発電電力によってＬＥＤ照明（6）だけを作動させることができる。つまり、ＰＶアレイ（5）の発電量が十分に多い場合は、負荷の大きいブースタ回路（29）に対して電力供給を行う一方、ＰＶアレイ（5）の発電量が少ない場合、ブースタ用整流器（86）の出力電圧の最小値よりも低電圧で作動するＬＥＤ照明（6）だけを作動させることで、該発電電力を捨てることなく、有効に利用することができる。その他の構成、作用・効果は実施形態２と同様である。
【０１４２】
−実施形態３の変形例−
次に、本実施形態３の変形例について説明する。本変形例は、上記実施形態３が冷凍装置（7）の運転状態に応じて、ＰＶアレイ（5）の直流の供給先を切り換えていたのに代えて、第１整流器（81）の出力電圧とブースタ用整流器（86）の出力電圧とに基づいてＰＶアレイ（5）の直流の供給先を切り換えるようにしたものである。
【０１４３】
具体的には、本変形例に係るスイッチ制御部（98）は、第１整流器（81）の出力電圧（Ｖ５）とブースタ用整流器（86）の出力電圧（Ｖ６）とを比較して第１スイッチ部（104a）および第２スイッチ部（104b）のオンとオフを切り換えるものである。
【０１４４】
スイッチ制御部（98）は、Ｖ５よりもＶ６が高い場合、第１スイッチ部（104a）を制御する一方、Ｖ５よりもＶ６が低い場合、第２スイッチ部（104b）を制御するよう構成されている。
【０１４５】
−Ｖ５＜Ｖ６の場合−
第１整流器（81）の出力電圧（Ｖ５）よりもブースタ用整流器（86）の出力電圧（Ｖ６）のほうが高い場合、スイッチ制御部（98）は、電圧検知部（96）の検知電圧（Ｖ３，Ｖ５）を比較し、Ｖ３がＶ５よりも大きい場合、第１スイッチ部（104a）をオン状態に切り換える。こうすることで、第１接続回路（100a）を介してコンバータ（93）と、第１電源部（80）とが接続され、第１接続回路（100a）を介して第１圧縮機（11A）の第１インバータ（82）に対して直流が付与される。また、同時にコンバータ（93）から出力部（94）を介してＬＥＤ照明（6）に直流が付与される。つまり、第１圧縮機（11A）の第１インバータ（82）、およびＬＥＤ照明（6）に対してＰＶアレイ（5）で発電された直流が供給される。
【０１４６】
一方、スイッチ制御部（98）は、上記電圧検知部（96）の検知電圧（Ｖ３，Ｖ５）を比較し、Ｖ３がＶ５よりも低い場合、第１スイッチ部（104a）をオフ状態に切り換える。こうすることで、第１接続回路（100a）が遮断され、コンバータ（93）と第１電源部（80）とが切断される。このとき、第１圧縮機（11A）の第１インバータ（82）にはＰＶアレイ（5）で発電された直流は供給されず、該直流は、コンバータ（93）から出力部（94）を介してＬＥＤ照明（6）に付与される。つまり、ＰＶアレイ（5）で発電された直流はＬＥＤ照明（6）だけに供給される。
【０１４７】
さらに、スイッチ制御部（98）は、上記電圧検知部（96）の検知電圧（Ｖ３，Ｖ５）を比較し、Ｖ３がＶ５よりも低く、且つ検知電圧（Ｖ３）が所定の電圧よりも低い場合、第１スイッチ部（104a）をオン状態に切り換える。こうすると、第１接続回路（100a）を介してコンバータ（93）と、第１電源部（80）とが接続される。そして、第１整流器（81）の出力電圧が第１接続回路（100a）に付与される。そして、第１接続回路（100a）からコンバータ（93）に流れて出力部（94）を介してＬＥＤ照明（6）に直流が付与される。つまり、ＬＥＤ照明（6）に対して商用電源（3）の電力が供給される。
【０１４８】
−Ｖ５＞Ｖ６の場合−
第１整流器（81）の出力電圧（Ｖ５）よりもブースタ用整流器（86）の出力電圧（Ｖ６）のほうが低い場合、スイッチ制御部（98）は、電圧検知部（96）の検知電圧（Ｖ４，Ｖ６）を比較し、Ｖ４がＶ６よりも大きい場合、第２スイッチ部（104b）をオン状態に切り換える。こうすると、第２接続回路（100b）を介してコンバータ（93）と、ブースタ用電源部（85）とが接続され、第２接続回路（100b）を介してブースタ圧縮機（43）のブースタ用インバータ（87）に対して直流が付与される。また、同時にコンバータ（93）から出力部（94）を介してＬＥＤ照明（6）に直流電圧が付与される。つまり、ブースタ圧縮機（43）のブースタ用インバータ（87）、およびＬＥＤ照明（6）に対してＰＶアレイ（5）で発電された直流が供給される。
【０１４９】
一方、スイッチ制御部（98）は、上記電圧検知部（96）の検知電圧（Ｖ４，Ｖ６）を比較し、Ｖ４がＶ６よりも低い場合、第２スイッチ部（104b）をオフ状態に切り換える。こうすることで、第２接続回路（100b）が遮断され、コンバータ（93）とブースタ用電源部（85）とが切断される。このとき、ブースタ圧縮機（43）のブースタ用インバータ（87）にはＰＶアレイ（5）で発電された直流は供給されず、該直流は、コンバータ（93）から出力部（94）を介してＬＥＤ照明（6）に付与される。つまり、ＰＶアレイ（5）で発電された直流はＬＥＤ照明（6）のみに供給される。
【０１５０】
さらに、スイッチ制御部（98）は、上記電圧検知部（96）の検知電圧（Ｖ４，Ｖ６）を比較し、Ｖ４がＶ６よりも低く、且つ検知電圧（Ｖ４）が所定の電圧よりも低い場合、第２スイッチ部（104b）をオン状態に切り換える。こうすると、第２接続回路（100b）を介してコンバータ（93）と、ブースタ用電源部（85）とが接続される。そして、ブースタ用整流器（86）の出力電圧が第２接続回路（100b）に付与される。そして、第２接続回路（100b）からコンバータ（93）に流れ、出力部（94）を介してＬＥＤ照明（6）に直流が付与される。つまり、ＬＥＤ照明（6）に対して商用電源（3）の電力が供給される。
【０１５１】
−実施形態３の変形例の効果−
上記本変形例では、第１整流器（81）の出力電圧とブースタ用整流器（86）の出力電圧との比較に基づいてＰＶアレイ（5）の直流の供給先を切り換えるようにした。
【０１５２】
ここで、第１整流器（81）の出力電圧よりもブースタ用整流器（86）の出力電圧が高い場合、第１圧縮機（11A）における負荷が大きくなっている。このため、ＰＶアレイ（5）の発電電力を第１圧縮機（11A）に繋がる第１インバータ（82）に供給するようにしている。一方で、ＰＶアレイ（5）の出力電圧が第１整流器（81）の出力電圧よりも低い場合には、ＰＶアレイ（5）の直流をＬＥＤ照明（6）だけに供給するようにしたため、発電電力によってＬＥＤ照明（6）だけを作動させることができる。つまり、ＰＶアレイ（5）の発電量が十分に多い場合は、負荷の大きい第１圧縮機（11A）に対して電力供給を行う一方、ＰＶアレイ（5）の発電量が少ない場合、第１整流器（81）の出力電圧の最小値よりも低電圧で作動するＬＥＤ照明（6）だけを作動させることで、該発電電力を捨てることなく、有効に利用することができる。
【０１５３】
また、第１整流器（81）の出力電圧よりもブースタ用整流器（86）の出力電圧が低い場合、ブースタ圧縮機（43）における負荷が大きくなっている。このため、ＰＶアレイ（5）の発電電力をブースタ圧縮機（43）に繋がるブースタ用インバータ（87）に供給するようにしている。一方で、ＰＶアレイ（5）の出力電圧がブースタ用整流器（86）の出力電圧よりも低い場合には、ＰＶアレイ（5）の直流をＬＥＤ照明（6）だけに供給するようにしたため、発電電力によってＬＥＤ照明（6）だけを作動させることができる。つまり、ＰＶアレイ（5）の発電量が十分に多い場合は、負荷の大きいブースタ圧縮機（43）に対して電力供給を行う一方、ＰＶアレイ（5）の発電量が少ない場合、ブースタ用整流器（86）の出力電圧の最小値よりも低電圧で作動するＬＥＤ照明（6）だけを作動させることで、該発電電力を捨てることなく、有効に利用することができる。その他の構成、作用・効果は実施形態３と同様である。
【０１５４】
〈発明の実施形態４〉
次に、本発明の実施形態４について説明する。本実施形態４は、上記実施形態１とは電源制御装置（90）の構成が異なっている。実施形態４では、上記実施形態１と異なる部分についてのみ説明し、共通する部分の説明は省略する。
【０１５５】
具体的には、図８に示すように、本実施形態４に係る電源制御装置（90）には、蓄電用コンバータ（108）と、本発明に係る蓄電装置を構成する蓄電池（109）とが蓄電ライン（107）によって接続されている。蓄電ライン（107）は、その一端が第１整流器（81）とコンバータ（93）との間に接続される一方、その他端が蓄電用コンバータ（108）を介して蓄電池（109）に接続されている。上記蓄電用コンバータ（108）は、ＤＣ／ＤＣコンバータに構成されている。
【０１５６】
上記蓄電池（109）は、リチウムイオンバッテリー（ＬＩＢ）に構成され、ＰＶアレイ（5）で発電された発電電力の一部が蓄電される。蓄電池（109）に蓄電された電力は、蓄電用コンバータ（108）で電力変換された後、コンバータ（93）から出力部（94）を介してＬＥＤ照明（6）などに出力される。
【０１５７】
上記実施形態４によれば、ＰＶアレイ（5）の発電電力を蓄電する蓄電装置（109）を設けたため、ＰＶアレイ（5）の発電電力を捨てることなく、溜めることができる。その他の構成、作用・効果は実施形態１と同様である。
【０１５８】
〈発明の実施形態５〉
次に、本発明の実施形態５について説明する。本実施形態５は、上記実施形態１の冷凍システム（1）の構成とは異なっている。実施形態５では、上記実施形態１と異なる部分についてのみ説明し、共通する部分の説明は省略する。
【０１５９】
具体的には、図９に示すように、本実施形態５に係る冷凍システム（1）には、パワーコンディショナ（110）が接続されている。このパワーコンディショナ（110）は、ＰＶアレイ（5）で発電された直流を交流に変換するものである。このパワーコンディショナ（110）で変換された交流は、売電されることなく、屋内配線に供給されて冷凍装置（7）やその他の接続機器に対して供給される。
【０１６０】
こうすることで、ＰＶアレイ（5）の直流を交流に変換するパワーコンディショナ（110）を備えたため、変換された交流を屋内配線などに供給することができる。その他の構成、作用・効果は実施形態１と同様である。
【０１６１】
〈その他の実施形態〉
本発明は、上記実施形態１〜５（各変形例も含む）について、以下のような構成としてもよい。
【０１６２】
上記実施形態１〜５に係る電源制御装置（90）では、本発明に係る発電装置としてＰＶアレイ（5）を用いたが、本発明はこれに限られず、自然エネルギーとして風力発電や水力発電などの多種の発電態様を適用することができる。
【０１６３】
尚、以上の実施形態は、本質的に好ましい例示であって、本発明、その適用物、あるいはその用途の範囲を制限することを意図するものではない。
【産業上の利用可能性】
【０１６４】
以上説明したように、本発明は、冷凍装置用の電源制御装置、および冷凍システムについて有用である。
【符号の説明】
【０１６５】
３            商用電源
５            ＰＶアレイ
６            ＬＥＤ照明
７            空調装置、冷凍装置
１１Ａ        第１圧縮機
１４          冷媒回路
２１          空調用熱交換器
２５          庫外回路
２６          空調回路
４１          第２冷却熱交換器
４３          ブースタ圧縮機
５０          ブースタユニット
８１          整流器、第１整流器
８２          インバータ、第１インバータ
８６          ブースタ用整流器
８７          ブースタ用インバータ
９０          電力制御装置
９１          入力部
９４          出力部
１００        接続回路
１００ａ      第１接続回路
１００ｂ      第２接続回路
１０４        スイッチ部
１０４ａ      第１スイッチ部
１０４ｂ      第２スイッチ部
１０９        蓄電池
１１０        パワーコンディショナ
【図１】
0005962063.tif 000002
【図２】
0005962063.tif 000003
【図３】
0005962063.tif 000004
【図４】
0005962063.tif 000005
【図５】
0005962063.tif 000006
【図６】
0005962063.tif 000007
【図７】
0005962063.tif 000008
【図８】
0005962063.tif 000009
【図９】
0005962063.tif 000010